(57)【要約】【課題】  本発明は、容易かつ迅速に搬送状態にできる可搬式消火装置を提供する。【解決手段】可搬式消火装置１は、消火剤等の薬剤を封入した円筒型のタンク２と、タンク２の下部側面に設けられた２つの軸受部３１によって２箇所で軸支された車軸３と、その車軸３の両端に回転自在に設けられた車輪４と、両端が車軸３に接続された枠杆状の足掛部５と、タンク２の下部の鏡板底面に設けられた三脚６と、タンク２の上部側面に取付けられた枠杆状のハンドル７と、タンク２内を加圧するための加圧ガス容器８と、火災時にタンク２からホース９によって送られてきた薬剤を放出するノズル１０から構成する。そして、前記足掛部５の両端間の幅Ｌ１は、タンク２の両側面の横幅Ｌより広く、且つ、足掛部５は、タンク２の両側面より横に張り出して設けられている。【選択図】図１
2020025623.tif 000002
【特許請求の範囲】
【請求項１】
薬剤を封入するタンクと、
車軸の左右に設けられ、前記タンクの両側面よりも張り出して設けられた車輪と、
足掛部とを備えた可搬式消火装置において、  
前記足掛部は、前記タンクの両側面より張り出し、前記車軸に接続されていることを特徴とする可搬式消火装置。
【請求項２】
前記タンクに設けられたハンドルを備え、
当該ハンドルは、前記車輪より張り出して設けられていることを特徴とする請求項１に記載の可搬式消火装置。
【請求項３】
前記タンクの下部に設けられた脚部を備え、
前記タンクの立設時に前記脚部の接地部における側辺の少なくとも一部が、前記車軸の垂直下に配置されることを特徴とする請求項１又は２に記載の可搬式消火装置。
【請求項４】
前記脚部により前記タンクの立設時に前記車輪が接地していないことを特徴とする請求項３に記載の可搬式消火装置。
【発明の詳細な説明】
【技術分野】
【０００１】
本発明は、消火装置の消火剤等の薬剤を封入するタンクに車輪を設けて、車輪を使用して消火装置を搬送することができるようにした可搬式消火装置に関するものである。
【背景技術】
【０００２】
消火剤等の薬剤を封入したタンクの上部にハンドルを設け、下部に車輪を設けた可搬式消火装置が知られている。可搬式消火装置は、搬送時以外は消火剤等の薬剤を封入したタンクを直立させて所定位置に立設される。火災現場等に可搬式消火装置を搬送する場合は、使用者が、ハンドルにより可搬式消火装置を傾斜させ、タンク下部に設けた車輪のみ接地させる。そして、使用者がハンドルを持って押したり牽引したりして、車輪を回転させて可搬式消火装置を搬送する。
【先行技術文献】
【特許文献】
【０００３】
【特許文献１】実公昭３７−３２５００号公報
【発明の概要】
【発明が解決しようとする課題】
【０００４】
このように、上記のような可搬式消火装置は、搬送状態にする場合に可搬式消火装置を傾斜させる必要がある。特許文献１に示された可搬式消火装置では、タンクの下部側面に設けた足掛用突子に重心を掛け、傾斜させて搬送状態にする。しかし、特許文献１の足掛用突子はタンクに設けられており幅が狭く、車輪を設けた方向から近づいた使用者が可搬式消火装置を傾斜させるために足掛用突子に足を掛けようとすると、可搬式消火装置の真正面まで移動する必要がある。そのため、迅速に傾斜させて搬送状態にすることができなかった。また、タンクの大容量化やタンク内を加圧する加圧ガス容器を取付けたことによる重量化に伴い、使用者が一人では傾斜させにくい場合がある。この場合に、複数人で傾斜させようとしても、特許文献１のように足掛用突子の幅が狭いと、複数人で同時に足を掛けることができないという問題があった。さらに、足掛用突子をタンク側面に取付けた特許文献１の発明では、製造上の煩雑さや、タンクに足掛け時の力が加わりタンクが変形する可能性がある等の問題があった。
【０００５】
そこで、本発明は、容易かつ迅速に搬送状態にできる可搬式消火装置を提供することを課題とするものである。
【課題を解決するための手段】
【０００６】
本発明は、上記課題を解決するものであり、以下の構成を有する。
【０００７】
（１）本発明は、薬剤を封入するタンクと、車軸の左右に設けられ、前記タンクの両側面よりも張り出して設けられた車輪と、足掛部とを備えた可搬式消火装置において、前記足掛部は、前記タンクの両側面より張り出し、前記車軸に接続されていることを特徴とする可搬式消火装置である。
【０００８】
（２）また、本発明は、前記タンクに設けられたハンドルを備え、当該ハンドルは、前記車輪より張り出して設けられていることを特徴とする（１）に記載の可搬式消火装置である。
【０００９】
（３）また、本発明は、前記タンクの下部に設けられた脚部を備え、前記タンクの立設時に前記脚部の接地部における側辺の少なくとも一部が、前記車軸の垂直下に配置されることを特徴とする（１）又は（２）に記載の可搬式消火装置である。
【００１０】
（４）また、本発明は、前記脚部により前記タンクの立設時に前記車輪が接地していないことを特徴とする（３）に記載の可搬式消火装置である。
【発明の効果】
【００１１】
本発明によれば、足掛部がタンクの両側面より張り出して幅が広く構成されているため、使用者は、可搬式消火装置の真正面に体を移動させなくても正面脇から足掛部に足を掛けて可搬式消火装置を傾斜させて容易かつ迅速に搬送状態にすることができる。さらに、複数人が同時に足掛部に足を掛けることができるため、可搬式消火装置が重量化した場合であっても、複数人で容易かつ迅速に傾斜状態にすることができる。また、足掛部を車軸に設けるようにしているため、主に円筒で構成されるタンクの曲面に溶接する場合と比べて容易に製造することができる。そして、足掛部をタンクに直接取付けることがないのでタンクが比較的に薄い材質でできていても変形する可能性がない。さらに、タンクより正面側にある車軸に足掛部が取り付けられているため、足を掛ける部分から取付部までの距離が短く単純で丈夫な構造とすることができる。
【図面の簡単な説明】
【００１２】
【図１】本発明の一実施形態における可搬式消火装置１の立設時の上面図である。
【図２】本発明の一実施形態における可搬式消火装置１の立設時の正面図である
【図３】図２に示すＡ−Ａ線断面図である。
【発明を実施するための形態】
【００１３】
本発明は可搬式消火装置である。以下、本発明を実施するための形態について説明する。
【００１４】
本発明の一実施形態における可搬式消火装置１の構成について説明する。
図１〜３はそれぞれ、本発明の一実施形態における可搬式消火装置１の立設時の上面図と正面図及び図２のＡ−Ａ線断面図である。可搬式消火装置１は、消火剤等の薬剤を封入した円筒形のタンク２と、タンク２の下部側面に溶接して設けられた２つの軸受部３１によって２箇所で軸支された車軸３と、その車軸３の両端に回転自在に設けられた車輪４と、両端が車軸３に接続された枠杆状の足掛部５と、タンク２の下部の鏡板底面に設けられた三脚６と、タンク２の上部側面に取付けられた枠杆状のハンドル７と、タンク２内を加圧するための加圧ガス容器８と、火災時にタンク２からホース９によって送られてきた薬剤を放出するノズル１０から構成されている。
【００１５】
２つの軸受部３１は、タンク２から可搬式消火装置１の正面に向けて末広がりに設けられ、且つ、車軸３が地面に対して水平になるように設けられている。車軸３に溶接して取付けられた足掛部５は、２つの軸受部３１間に可搬式消火装置１の正面斜め下向きに突出して設けられている。また、足掛部５の両端間の幅Ｌ１は、タンク２の両側面の横幅Ｌより広く、且つ、足掛部５は、タンク２の両側面より横に張り出して設けられている。なお、横幅Ｌは、円筒形のタンク２の直径と同等の長さである。このため、可搬式消火装置１の真正面に体を移動させなくても、正面脇から車輪４に接することなく足掛部５に足を掛けることができ、容易かつ迅速に可搬式消火装置１を傾斜させた搬送状態にすることができる。また、足掛部５が幅広いため、緊急時に使用者が動揺していても確実に足掛部５に足を掛けることができる。さらに、複数人が同時に足掛部５に足を掛けることができるため、複数人で容易かつ迅速に傾斜状態にすることができる。また、足掛部５を車軸３に設けるようにしているため、タンク２の曲面に溶接する場合と比べて容易に製造することができる。更に、足掛部５をタンク２に溶接等により直接取付けることがないので、タンク２の強度を弱めることがない。
【００１６】
２つの車輪４は、それぞれ軸受部３１より外側で車軸３の両端の位置に取付けられている。また、２つの車輪４の間隔Ｌ２は、タンク２の両側面の横幅Ｌや足掛部５の両端の幅Ｌ１よりも広く、車輪４は、タンク２の両側面よりも横に張り出して設けられている。車輪４間の幅が広いため、車軸３に設けた足掛部５を幅広に設けることができ、牽引して搬送する場合に横に倒れ難く安定して走行させることができる。また、立設時には車輪４が接地すると、使用前における可搬式消火装置１の長期間にわたる立設により、ゴム等の素材からなるタイヤが変形する虞がある。そのため、車輪４は、可搬式消火装置１の立設時には接地しないように地面から数ミリ程度浮くように設けられている。三脚６は、３つの脚部６１，６２，６３から構成され、脚部６１は、可搬式消火装置１の正面側に、脚部６２，６３は、背面側に配置されている。そして、脚部６１における接地部６１１の側辺の一部である先端辺６１１ａが、車軸３の垂直下に配置されている構成となっている。後述するように、加圧ガス容器８が可搬式消火装置１の正面側に設けられているため、可搬式消火装置１の重心が正面にあり、立設時は、正面方向に倒れやすい。特に、タンク２の薬剤が減ると、重心が加圧ガス容器８の方向に移動して倒れやすくなる。しかし、脚部６１が正面側に設けられ、先端辺６１１ａが車軸３の垂直下に配置されているため、可搬式消火装置１の正面側を傾斜面の下り側に向けても倒れずに立設させることができる。本実施形態では、正面側が脚部６１で支えられているため、先端辺６１１ａが正面側に出過ぎていると傾斜させる際に脚部６１のみで不安定に支えることになり、可搬式消火装置１が左右に転倒し易くなる。しかし、先端辺６１１ａが車軸３の垂直下に配置されて正面側に出過ぎていないため、可搬式消火装置１を傾斜させると直ぐに車輪４が接地し、可搬式消火装置１を左右に転倒させずに傾斜させることができる。なお、本願における垂直下は、車軸３の直下から前後１ｃｍの範囲を含む。先端辺６１１ａの位置が車軸３の直下から前後１ｃｍ以内のズレであれば誤差の範囲内であり、立設時に倒れにくく傾斜させる際に障害にならない。
【００１７】
ハンドル７は、タンク２の上部側面から可搬式消火装置１の正面斜め上向きに張り出すと共に、屈曲して横方向に広がるように設けられる。ハンドル７の上方の水平部分は把持部７１となっている。また、ハンドル７は、横幅Ｌ３が２つの車輪４の間隔Ｌ２よりも広く、車輪４よりも横に張り出して設けられている。加圧ガス容器８は、可搬式消火装置１の正面側におけるタンク２の側面に取付けられており、起動用バルブ８１、圧力調整器８２、常時は開の閉止弁８３を介してタンク２に接続されている。ノズル１０は、火災で使用する時以外はタンク２の側面に設けられた筒状のノズル係止具１１にノズル１０の先端が挿入され、タンク２に取付けられている。なお、車輪４の前方端は加圧ガス容器８等よりも前方に張り出している。そして、ハンドル７は、可搬式消火装置１の正面に向けて車輪４の前方端の位置まで張り出しているため、可搬式消火装置１が正面方向に倒れたとしても、タンク２や加圧ガス容器８が地面に直接衝突することを防止することができる。また、ハンドル７は、車輪４よりも横に張り出して設けられているため、可搬式消火装置１が横方向に倒れたとしても、ハンドル７が先に地面に衝突して可搬式消火装置１に伝わる衝撃を緩和し、可搬式消火装置１の損傷を軽減させることができる。更に、ハンドル７は前述のように横方向に幅広に設けられている。そのため、タンク２の薬剤が全容量まで充填されて重量がある場合や迅速に搬送したい場合に、複数人でハンドル７を持つことができるので、容易かつ迅速に作業をすることができる。
【００１８】
次に可搬式消火装置１の搬送方法について説明する。
可搬式消火装置１は図２，３に示すように立設して設置されている。搬送する場合は、使用者は可搬式消火装置１を搬送状態にする。そのため、足掛部５に足を掛けて踏み込むと同時にハンドル７の把持部７１を持ってハンドル７を正面方向に引き下げる。そうすると、脚部６１の先端辺６１１ａを基点として可搬式消火装置１が回転し、容易かつ迅速に可搬式消火装置１を傾けることができる。また、脚部６１の先端辺６１１ａが車軸３の垂直下にあり、車輪４が数ミリしか浮いていないことから、可搬式消火装置１の傾きにより直ぐに車輪４が接地し、２つの車輪４と脚部６１の３つで支持される。そのため、傾ける途中で可搬式消火装置１が左右にぐらついて倒れることがない。次に、更にハンドル７を引き下げると、今度は車輪４が基点となって脚部６１が浮き上がり、可搬式消火装置１を車輪４で走行できる搬送状態にすることができる。そして、使用者は、ハンドル７を持って牽引し、車輪４を回転させて可搬式消火装置１を搬送することができる。搬送先では、使用者は、ハンドル７を持ち上げ、可搬式消火装置１を前記とは逆の手順で立設させることができる。搬送先が火災現場である場合は、使用者は、可搬式消火装置１を立設後に、起動用バルブ８１を開いて加圧ガス容器８の圧力をタンク２に供給する。次に、ノズル１０をノズル係止具１１から外して火災元の方向に向けてノズル元弁１０ａを開ける。タンク２内の薬剤は、加圧ガス容器８と圧力調整器８２による加圧により押し出され、タンク２からホース９に流出する。そして、ホース９からノズル元弁１０ａを経てノズル１０のノズル口から薬剤が火災元に向けて放出され、消火作業を行うことができる。
【００１９】
本実施例では、足掛部５の両端と中程の２個所で車軸３に接続しているが、足掛部５の一部が車軸３と接続されていればよく、本発明は、本実施例に限定されない。また、足掛部５と車軸３の接続は強度が保てれば、溶接以外にもリング状部材で車軸３をカシメたりネジ止めしたりしても良い。なお、本願において、両端が車軸３に接続しているとは、図１，２に示すように両端がそのまま車軸３に接続するものだけでなく、両端が突出しており、両端近傍が車軸３に接続されているものも含まれる。また、本実施例では、脚部６１，６２，６３から成る三脚６としているが、タンク２の立設時にタンク２の下部に設けた脚部の接地部における側辺の少なくとも一部が、車軸３の垂直下に配置されればよく、本発明は、本実施例に限定されない。たとえば、脚部は円筒形などとしてもよい。そして、本実施例では、タンク２内を加圧する加圧ガス容器８を備えた可搬式消火装置１であるが、本発明は、加圧ガス容器を使用しない可搬式消火装置にも適用することができ、本実施例に限定されることはない。
【符号の説明】
【００２０】
１  可搬式消火装置、２  タンク、３  車軸、３１  軸受部、４  車輪、５  足掛部、６  三脚、６１，６２，６３  脚部、６１１  接地部、６１１ａ  先端辺、７  ハンドル、７１  把持部、８  加圧ガス容器、８１  起動用バルブ、８２  圧力調整器、８３  閉止弁、９  ホース、１０  ノズル、１０ａ  ノズル元弁、１１  ノズル係止具
【図１】
2020025623.tif 000003
【図２】
2020025623.tif 000004
【図３】
2020025623.tif 000005